(57)【要約】簡潔なＧＵＩを供給するようパーソナライズされるグラフィック表示に電子メール又はボイスメールがマッピングされる。
2004532474.tif 000002
【特許請求の範囲】
【請求項１】
電子メッセージをグラフィック表示にマッピングするシステム。
【請求項２】
上記マッピングは、ユーザによりプログラム可能である請求項１記載のシステム。
上記グラフィック表示は、パーソナライズすることが可能である請求項１記載のシステム。
【請求項３】
電子メール処理システムを含む請求項１のシステム。
【請求項４】
電話機を含む請求項１記載のシステム。
【請求項５】
電子番組ガイド（ＥＰＧ）上で動作する請求項１記載のシステム。
【請求項６】
上記グラフィック表示は、上記電子メッセージへのユーザアクセスを与えるためにユーザインタラクティブである請求項１記載のシステム。
【請求項７】
電子メッセージの情報アスペクトのグラフィック表示によって、グラフィックユーザインタフェース（ＧＵＩ）にて上記電子メッセージを表示することを利用するコミュニケーションシステム。
【請求項８】
電子メッセージを表示することを可能にする方法であって、
上記電子メッセージを、少なくとも１つのグラフィック表示にマッピングする段階を含む方法。
【請求項９】
上記電子メッセージのエンドユーザに、上記マッピングを指定することを可能にする請求項９記載の方法。
【請求項１０】
エンドユーザに、上記グラフィック表示をパーソナライズすることを可能にする請求項９記載の方法。
【請求項１１】
上記電子メッセージは、電子メールを含む請求項９記載の方法。
【請求項１２】
上記電子メッセージは、ボイスメールを含む請求項９記載の方法。
【請求項１３】
電子文書を少なくとも１つのグラフィック表示にマッピングすることによって、上記電子文書と関連付けられるグラフィック表示を有するデータベース。
【請求項１４】
電子メッセージをグラフィック表示にマッピングすることから得られる、電子メッセージの表示。
【請求項１５】
電子メッセージをグラフィック表示にマッピングするためのソフトウェアアプリケーション。
【請求項１６】
上記マッピングに関してユーザ制御を与える請求項１６記載のアプリケーション。
【発明の詳細な説明】
【技術分野】
【０００１】
本発明は、電子コンテンツ情報の処理及び表示に関わり、特に、入来電子メールメッセージのユーザ選択を容易にするユーザインタフェース及び方法に係る。
【背景技術】
【０００２】
電子文書流通システムの一例として、電子メールシステムを考慮する。電子メールは、ユーザが、公衆のインターネット及び専用のＡＯＬといったデータネットワークを介してコンピュータメッセージを交換することを可能にする。電子メールプロトコルは、トランスポート制御プロトコル／インターネットプロトコル（ＴＣＰ／ＩＰ）のひとつのコンポーネントである。多くのオンラインサービス及びインターネットサービスプロバイダ（ＩＳＰ）は、電子メールを提供し、これらの多くは、さらに、他のシステムのユーザとメール交換するためのゲートウェイもサポートする。電子メールメッセージは一般的にテキストを含み、また、テキスト、グラフィック、ビデオ、サウンドファイル、ウェブページ等を、電子メールの添付ファイルとして、または、電子メールの本文に組み込むことも可能である。最近では、電子メールの利用は普及している。一部では、現在では、毎年１５０億のメッセージを送信する２５００万人もの電子メールユーザがいると推定される。
【０００３】
電子メッセージングシステムのもう１つの例は、ＳＭＳである。ショート・メッセージ・サービス（ＳＭＳ）は、移動電話からテキストメッセージを送信し、かつ、受信する機能である。このテキストは、言葉、英数字、または、それらの組み合わせを含むことができる。ＳＭＳは、ＧＳＭフェーズ１規格の一部として作成された。ＧＳＭ協会（ｗｗｗ．ｇｓｍ．ｏｒｇ）は、現在、毎月１５０億のＳＭＳメッセージが送信されていることを報告している。
【０００４】
電子メッセージングシステムのさらに別の例は、インスタントメッセージングである。これは、ユーザが別の個人と専用のチャットルームを形成することを可能にするコミュニケーションサービスの１タイプである。一般的に、インスタントメッセージングシステムは、ユーザのプライベートリストにある他のユーザがオンラインとなると、そのことをユーザに知らせる。そして、ユーザは、その特定の他のユーザとチャットセッションを始めることができる。いくつかのインスタントメッセージングシステムが競合している。たとえば、ＡＯＬインスタントメッセンジャは、ユーザがインスタントアラートを受信し、インスタントメッセージを送信し、写真、画像、及び音楽をシェアし、友達や家族、あるいは、同様の趣味を持つ人々等とチャットすることを可能のする無料のソフトウェアプログラムである。
【０００５】
上述した及び他の電子メッセージングシステムの人気が高まるにつれ、いくつかマイナスな面も出てきている。問題の１つは、電子スパムである。これは、一般的に、電子ジャンクメールまたはジャンクニュースグループポストと定義づけされる。スパムは、望まない電子メールによって人々の時間を無駄にするだけでなく、大量のネットワーク帯域幅を食う。その結果、多くの組織及び個人が、様々な技術を用いてスパムに対抗しようとしている。アンチスパム技術の一例は、「Method  and  system  for  filtering  unwanted  junk  email  utilizing  a  plurality  of  filtering  mechanisms」なる名称の米国特許第６，０２３，７２３号に説明される。この技術によると、第１のフィルタは、ユーザが受信することを希望しない電子メールアドレス又は文字列のリストに基づいている。第２のフィルタは、ユーザが受信することを希望する名前及び文字列を含んで与えられる。第１のフィルタに含まれるアドレス又は文字列を有する任意の電子メールは、ユーザのシステムから自動的に除去される。第２のフィルタに含まれるアドレス又は文字列を含む任意の電子メールは、ユーザの「受信箱」に自動的に送信される。どちらのフィルタリストにも載っていない任意の電子メールは、ユーザが確認するための「待合室」に送信される。
【０００６】
もう１つの問題は、職業スパムである。これは、通常は、仕事に関連して発生し、適切な裁量なく従業員に分配される大量の電子メールである。ガートナ（Ｇａｒｔｎｅｒ）による３３０人のビジネス電子メール利用者対象の調査によると（http://www.infoworld.com/articles/hn/xml/01/04/19/010419hnspamgatner.xmlを参照されたい）、主に、２０人から１０，０００人の従業員を抱える米国企業では、回答者の４２％が、大量の電子メールを受信することに疲れ、それらを管理するために一日平均で４９分間費やしていることが分かった。ガートナは、電子メールにアクセスするためのハンドヘルド式デバイスの出現及び重要性を見てみるためにスパム調査を始めた。いくつかの解決策は提案された。たとえば、「『全員に返信』を押す前に１０数える」、「２０数える」。しかし、この調査の著者は、「人々は電子メールをうまく処理することができるようになるまでは、ハンドヘルド式デバイスから電子メールをアクセスするのは困難である」ことを認めている。
【０００７】
多くの特別な電子メールクライアントアプリケーションは、電子メールメッセージ及びメッセージフィルタ機能にアクセスするためのグラフィカルユーザインタフェース（ＧＵＩ）を提供する。たとえば、ネットスケープ・メッセンジャｖ．４．６１は、ユーザが電子メールフォルダ及びフィルタを作成して、自動的に入来及び出発メッセージを所定の場所に自動的に分類することを可能にしている。
【０００８】
インターネットサービスであるmail.yahoo.comは、ユーザの電子メールにアクセスするためにブラウザベースのＧＵＩを提供する。ユーザの電子メールは、サービスのサーバに保管され、任意のＨＴＴＰクライアントにからアクセスすることが可能である。このサービスは、文書フォルダ作成、メッセージフィルタリング、及び、いくつかのアンチスパム機能を可能にする。
【０００９】
〔発明の概要〕
発明者は、いくつかの技術的及び非技術的な傾向が、電子メッセージングシステムのユーザインタフェースの有効性に影響を与えることを認識している。これらのうちもっとも重要なものは、ａ）例えば、子供や、非テクノロジー従業員等のようなコンピュータスキルが制限されるユーザの数が増えてきていること、ｂ）例えば、移動電話、ＰＤＡ、テレビ受像機、ＰＣ、留守番電話、ウェブディスプレイ等のＧＵＩイネーブルされたコミュニケーションデバイスの数が増え、また、多様となってきていること、ｃ）人々の関心と処理を必要とする電子文書の数が膨大になってきていること、である。上述した傾向を鑑みて、様々なタイプの電子文書を表示し且つ取り扱うことを可能にする単純且つ直観的なユーザインタフェースが必要である。
【００１０】
本発明の１つの面は、電子情報、特に、ＧＵＩイネーブルされたデバイス及びソフトウェアへのアクセスの容易さを高めることに取り組む。本発明の更なる面は、電子コミュニケーションに関するユーザ制御の効率を上げることに取り組む。
【００１１】
従って、本発明は、電子メッセージの情報アスペクト又は意味アスペクトをグラフィック表示にマッピングするシステムに関する。マッピングは、ユーザによってプログラム可能であることが好適である。本発明のシステムは、例えば、電子メール処理システム、電話機、ＥＰＧ処理システムを含む。ユーザは、電子メッセージのグラフィック表示を介して、電子メッセージへのアクセスが与えられる。グラフィック表示は、情報を非常に凝縮した形式で表示するので、テキストを読むのとは対照的に、選択のための迅速なスキャンを可能にする。
【００１２】
本発明は、電子メッセージへのアクセスを与える方法に関わり、本発明の方法は、電子メッセージの情報アスペクト又は意味コンテンツを少なくとも１つのグラフィック表示にマッピングする段階を含む。本発明は更に、電子文書の意味又は情報アスペクトにマッピングされるグラフィック表示を有するデータベースに関する。本発明は更に、電子文書をグラフィック表示へマッピングすることにより得られる電子メッセージの表示と、電子文書を１つ以上のグラフィック表示にマッピングすることを可能にするソフトウェアに関する。
【００１３】
本発明は、電子番組ガイド（ＥＰＧ）又は電子コンテンツガイド（ＥＣＧ）と一貫して、直観的な方法で、グラフィックが付けられる電子メッセージにユーザがアクセスすることを可能にする「電子メールガイド（ＥＭＧ）」特徴を提供する。この文脈において、ユージン・シュテイン（Ｅｕｇｅｎｅ  Ｓｈｔｅｙｎ）及びルーディ・ロス（Ｒｕｄｙ  Ｒｏｔｈ）のために「ELECTRONIC  CONTENT  GUIDE  RENDERS  CONTENT  RESOURCES  TRANSPARENT」なる名称で、２０００年５月１１日に出願された米国特許出願番号０９／５６８，９３２（代理人整理番号ＵＳ０００１０６）を参照されたい。これは、本願に参考文献として組み込む。この文書は、家庭用ネットワーク上のデータ管理システムに関する。システムは、電子番組ガイド（ＥＰＧ）を含むネットワークの様々なリソースにおいて利用可能なコンテンツ情報を記述するデータを収集する。データは、リソースに関係なく、ユーザがコンテンツから選択することを可能にする単一のメニュにまとめられる。
【００１４】
ＥＭＧにおける電子メッセージのグラフィック属性は、トピック、発信者、添付書類の種類、時間、発信者の性別、及び、その他のメッセージの情報の特徴を表す。グラフィック属性は、例えば、ユーザによって決められるか、又は、既知の属性のセットから選択される。この既知の属性のセットは、以下表示パレットと称す。電子メッセージは、ＥＭＧ内において、そのようなグラフィック属性、又は、そのようなグラフィック属性の組合せにより表される。例えば、複数の電子メッセージに共通する情報の特徴といった、情報の特徴は、ＥＭＧの論理的な特徴として用いることができる。ユーザは、ＥＭＧの特徴に沿って検索して、メッセージをブラウズすることが可能にされる。以下に制御パレットと称するＥＭＧ選択及び／又はフィルタリング手段は、ＥＭＧと関連付けられることが可能である。制御パレットは、情報の特徴を表す、例えば、ボタンであるコントロール部を含む。このコントロール部を実行することにより、ユーザは、ＥＭＧに表示されるメッセージを選択及び／又はフィルタリングすることが可能にされる。制御パレットは、例えば、ＧＵＩエレメントのようなバーチャルツール、又は、遠隔制御装置上のボタンといった物理的なツール、或いは、両方の組合せとして実現されることが可能である。システムは、異なるＵＩ機能を有するインタフェースデバイスに対し、情報の特徴の別のグラフィック表示を与えることが可能である。例えば、パームトップＰＤＡの場合には、カラーの代わりにグレースケールが用いられる。ユーザは、特定の情報の特徴を表すグラフィック及び／又は制御パレットをインポートすることが可能にされる。ユーザは、ユーザのグラフィック、情報、及び、制御属性を変更することにより、更に、パレットをカスタマイズすることも可能にされる。
【発明を実施するための最良の形態】
【００１５】
本発明は、例示的に、添付図面を参照しながら、以下に説明する。
【００１６】
全図にわたり、同一の参照番号は、同一の又は対応する特徴を示す。
【００１７】
図１は、本発明におけるＥＭＧインタフェース１００の例示的な図を示す。インタフェース１００は、表示グリッド１１０と、オプションの制御パレット１５０と、スクロールバー１９０と、オプションの論理スイッチ１６０を含む。表示グリッド１１０は、１つ以上の題目識別列１２０と、オプションのタイトル行１４０と、メッセージ行１３０と、セル１３１のようなメッセージセルを含む。メッセージセル１３１は、メッセージ列１２５に配列することができる。タイトル行１４０におけるセル１４１、１４２、１４３は、１つのメッセージセル又は列以上に広がることも可能である。各セル１３１は、電子メッセージ（図示せず）の、例えば、表示１３２といったグラフィック表示を含む。電子メッセージをより良好に表すために、１つのセル内に表示の組み合わせを用いることも可能である。従って、ユーザは、セル１３１を見て、且つ、セル中のグラフィック属性と、行１３０におけるグラフィック属性１３６とをマッチングすることによって、メッセージの意味を容易に識別することが可能にされる。例えば、表示１３２は、「元気！（What’s  up!）」という挨拶メッセージの一般的な属性として決められ、一方で、表示１３６は、ユーザの自転車クラブからのメッセージ送信者を表す。さらには、セル１４１は薄い青色で、午前８時から午後１２時の間の時間を表し、セル１４２は黄色で、午後１２時から午後３時の間の時間を表し、セル１４３は明るい緑色で、午後３時から午後６時の間の時間を表す。この後者の属性は、当該のメッセージが、特定の時間帯に受信（または送信）したことをユーザが理解することを可能にする。別の例では、行１３９におけるセル１３１１におけるグラフィック属性１３７、１３８の組み合わせは、午後１２時前に受信した、居酒屋での冗談に関する画像が添付された返信を表すことを、ユーザが容易に理解することを可能にする。
【００１８】
制御パレット１５０は、ボタン１５１、１５２等といったコントロール部を含む。ボタンの意味は、グラフィック属性１５９により表される。ユーザは、ボタンを押すことによってＥＭＧ１００におけるメッセージをより分けることが可能にされる。例えば、ボタン１５１（女の子から）、１５３（予約）、１５２（返信メッセージ）、１５４（リマインダ）を押すことによって、ユーザは、ボタンに関連付けられるグラフィック属性に関連付けられる上述の意味のいずれかと適合するメッセージを選択する。頻繁に利用されるボタンのみがパレット１５０上に置かれることが好適である。ユーザは、「パレット」ボタン１５８を押すことよって、追加の決められたボタンにアクセスすることができる。
【００１９】
論理パレット１６０が、ボタンの組み合わせに適用される論理ルールをユーザが選択することを可能にすることが好適である。例えば、ラジオボタン１６１がオンであるとき、フィルタは、論理ＯＲを用いて、メッセージ選択基準を作成する。あるいは、ラジオボタン１６２がオンであるとき、フィルタは、論理ＡＮＤを用いる。行パレット１８０が、パレット１５０の動作と一貫性があるように、ボタン１８１、１８２等を押すことによって行を挿入又は削除することを、ユーザに対し可能にすることが好適である。
【００２０】
図２は、例えば、腕時計として装着される又はジャケットの袖に縫い付けられる、幼い子供のためのワイヤレスメッセージ機器２８０のＥＭＧインタフェース１００の一例を示す図である。グリッド１１０は、読む能力を必要としない、グラフィック及び／又は他の感覚に頼る属性を有するフィールド２８１といったメッセージフィールドを含む。メッセージのグラフィック又は感覚に頼る表示は、例えば、音、アニメーション、ビデオ、グラフィック等のアルファベットでないコンテンツを含むことが好適である。図１の制御パレット１５０は、機器２８０の筐体に埋め込まれる、グラフィックが付けられる物理ボタン１５１から１５４のセットとして実現される。図示する例では、フィールド２８１は、夕ご飯（又は、昼ご飯、朝ご飯）の準備が整ったことを示す。このことを示すようにしているのは、子供の母親である。母親の写真は、フィールド２８２に示す。フィールド２８３は、母親からのもう１つのメッセージを表す。このメッセージは、以下のように解釈される。「聞いてごらんなさい。あなたが気に入ると思う歌があるのよ。」子供が、例えば、デバイス２８０上のタッチスクリーンを介して、ＥＧＭとインタラクトすると、母親によって送られた音楽ファイルが、デバイス２８０のスピーカ（図示せず）を介して再生される。フィールド２８４は、父親から、子供に急いで家に帰るよう（２つの感嘆符によって）繰り返されている警告である別のメッセージの表示を表す。父親の写真が、フィールド２８５に示す。フィールド２８６は、子供の姉（妹）２８８により送られた、「誰かがあなたを探していて電話をかけてきた」というメッセージを伝える。尚、様々な人が、様々に表現されるメッセージをデバイス２８０に送るが、これは、同一のアイコンにマッピングされ得る。例えば、家庭用ネットワーク上のスピーチ処理システムは、「夕ご飯を食べに家に戻ってくるようベンに伝えて」、「夕ご飯の用意ができた。ベンは家に帰らなければならない」といった話されたメッセージから、セル２８１に表示されるアイコンへのマッピングが行われるべきであることを推測する。音声認識ソフトウェアを用いて、話者が自動的に識別される。少人数のグループでは、音声スペクトルに基づいた識別は比較的簡単である。
【００２１】
図３は、本発明におけるＥＭＧを可能にするメッセージ処理システム３００の一例を示す図である。システム３００は、メッセージ参照データベース３１０と、メッセージデータベース３４０と、メッセージ属性データベース３５０と、メッセージサーバ３７０を含む。メッセージ参照データベース３１０は、例えば、レコード３２０といった１つ以上の参照レコードを含む。レコード３２０は、メッセージコンテンツ参照３２１と少なくとも１つのメッセージ属性３２２を含む。メッセージコンテンツデータベース３４０は、１つ以上の電子メッセージの意味コンテンツ３４１を表す。属性データベース３５０は、１つ以上の属性レコード３６０を含み、属性レコード３６０は、属性割当て基準３６１と、属性グラフィック表示３６２と、属性識別子（ＩＤ）３６３を含む。入来電子メッセージ３８０、及び／又は、出発電子メッセージ３９０は、フィルタリングソフトウェア３７１によって、メッセージングサーバ３７０上で処理される。ソフトウェア３７１は、割当て基準３６１を用いて、メッセージ３８０又は３９０の適切な属性ＩＤを決める。このことは、例えば、テキスト分析ツールから知られる自動特徴抽出によって達成することができる。メッセージ３８０又は３９０のコンテンツは、データベース３４０に入れられる。メッセージコンテンツ参照、及び、ソフトウェア３７１により識別される属性は、データベース３１０に入れられる。ユーザがＥＭＧ１００を起動させると、ソフトウェア３７５が、表示フィルタリング基準を含む、ユーザにより設定されるＥＭＧ嗜好３７６を用いて、ＥＭＧグリッドインタフェース１１０を形成する。ソフトウェア３７５は、メッセージ参照３２１及び属性３２２を、メッセージセル１３１に関連付け、また、適切なグラフィック属性３６２を取ってくる。メッセージ参照３２１は、ユーザがセル１３１をクリックしたときにコンテンツ３４１を取ってくるために用いられる。ユーザは、基準３６１とグラフィック属性３６２を変更できるようにされることが好適である。属性レコード３６０のセットは、例えば、企業のネットワーク環境、社交クラブ、バーチャルコミュニティ等において、複数のユーザに分配して共有することも可能である。
【００２２】
図４は、本発明におけるシステム５００の一例を示すブロック図である。システム５００は、電子文書５０４を格納するためのメモリ５０２を含む。システム５００は、更に、文書５０４の意味又は他の情報アスペクトをグラフィックで表すために利用可能なグラフィック表示のデータベース５０６を含む。文書５０４は、ソフトウェアの制御下で、データベース５０６内のグラフィック表示により形成される参照空間にマッピングされる。このために、システム５００は、データプロセッサ５０８とソフトウェア５１０を含む。ソフトウェア５１０は、ＧＵＩ５１２を介して、マッピング処理への入力として、どのアスペクトを探すのかをユーザが指定することをできるようにする。このユーザの指定は、ルックアップテーブル５１４に格納される。新しい文書がメモリ５０２内に格納されると、プロセッサ５１０は、ＬＵＴ５１４内のエントリに基づいて分析を行い、この新しい文書を関連のある１つの又は複数のグラフィック表示にマッピングする。新しい表示は、関連付けられる文書へのポインタと共にメモリ５１６内に格納される。メモリ５０２のインベントリは、メモリ５１６内の表示／ポインタ組み合わせ５１８によってＧＵＩ５１２上にグラフィックにより表示される。
【００２３】
コミュニケーションシステムにおける以下のシナリオを考慮されたい。第１の例では、システム５００は、電子メール処理機能を含む。ユーザは、プロセッサ５１０に、特定の発信者からの電子メールを、データベース５０６において利用可能な特定の色又はアイコンにマッピングするよう指定し、また、特定のキーワード又は意味的な等価物を含む電子メールを、データベース５０６の別の色又はグラフィック表示にマッピングするよう指定する。動作時の使用では、ＧＵＩ５１２は、グラフィカル表示によって電子メールのオーバービューへのアクセスをユーザに与える。各電子メールについての１つ以上の色又はアイコンは、電子メールの関連性を、はっきりと伝える。別の例では、システム５００は、例えば、携帯電話といった電話機を含む。ユーザは、特定の発信者ＩＤを特定の色、アイコン、又は、ハッチングにマッピングすることを指定する。ボイスメール機能がある場合は、記録されたメッセージは、タイムスタンプされ、可能である場合には、それらの意味コンテンツに関して分析される。このことは、メッセージがデジタル式に保存される場合には確実に実現可能である。従って、保存されるメッセージは、電話機のＧＵＩ上で表示するための色及びアイコンを用いてグラフィックで表示されることが可能である。従って、本発明の１つの面は、発信者ＩＤを色ＩＤ（商標）への転換に対応する。
【００２４】
尚、電子メール又はボイスメールシステムにおける発信者及び受信者はともに、それぞれのコミュニケーションにおいて伝えられる同様の概念に対し同様のグラフィック表示を用いるよう決められる。従って、マッピングされたメッセージ、すなわち、メッセージのグラフィック表示は、実際のメッセージへのプレカーサか、又は、それ自体の通知として独立して用いられる。移動時の発信者又は受信者は、グラフィック表示により伝えられる意味に基づいて、オリジナルのメッセージを送信する又は取り出すか否かを選択することができる。
【００２５】
システム５００の機能は、機器又はデバイス（例えば、ハンドヘルド式ＰＤＡ、ＳＴＢ、携帯電話等）、又は、データネットワークのような分散システムにおいて実現することができる。例えば、電子メールサービスは、ユーザが、電子メールのグラフィック表示へのマッピングを指定し、専用アプリケーションサーバ上でマッピングを実行することを可能にする。そして、ユーザは、従来通りの方法で、又は、グラフィック表示を介してユーザの電子メールへのアクセスが与えられる。機能は、デジタル化されたテキスト又はボイスメッセージを分析し、それらを１つ以上のグラフィック表示にマッピングするソフトウェアアプリケーションにおいて少なくとも部分的に実現されることも可能である。テキスト分析ソフトウェアは、例えば、検索エンジンから知られている。同様に、デジタル化されるボイスメッセージのマッピングも、電話会社又は他の専用サービスによって行われることが可能である。更なる例として、ＥＰＧを考慮されたい。一般的に、周知のＥＰＧは、グリッドとして表示され、その中で、フィールドは、各時間枠と各ＴＶチャンネルあたりに割当てられ、現在又は近未来において利用可能なＴＶ番組についてのテキストを表示する。ここでも、従来のＥＰＧは、好適にはパーソナライズされたグラフィック表示のクラスタにマッピングされて、エンドユーザに、グラフィック形式でフィルタリングされた情報の簡単なオーバビューを与えることができるようにされる。
【００２６】
上述は、本発明の原理を説明するものに過ぎない。従って、当業者は、本願においてはっきりと説明又は明示されていないが、本発明の原理を具現化し、従って、本発明の技術的思想及び範囲内である様々な構成を考え出すことが可能であることを理解するものとする。例えば、図に示す機能の特定の分け方は、説明のために示すものである。上述したデータベース、ソフトウェア、及び、ＥＭＧインタフェースは、同一の物理的なデバイス上に位置付けることも可能であり、又は、複数のデバイスに分けることも可能である。例えば、関係型、オブジェクト指向型であるデータベースの実施は、当該技術においては周知であり、メッセージ容量、サイズなどに依存して、特定のメッセージングシステムの必要に応じて容易に調節することが可能である。例えば、データベースは、家庭用ネットワーク内の１つのメモリ領域内にまとめることが可能である。その一方で、マルチユーザメッセージングシステムは、複数のデータベース、サーバ、及び、多層構成ソフトウェアアプリケーションが含まれるであろう。これらの及び他のシステム構成及び最適化の特徴は、この開示に関する当業者には明らかであり、本発明の特許請求の範囲に含まれる。
【００２７】
以下の特許文書を参考文献として本願に組み込む。
【００２８】
レイラ・カギャジアン（Ｌｅｉｌａ  Ｋａｇｈａｚｉａｎ）のために「SELECTIVE  SENDING  OF  PORTIONS  OF  ELECTRONIC  CONTENT」なる名称で、２０００年８月２１日に出願した米国特許出願番号０９／６４２，７１３。この文書は、ハンドヘルド式コミュニケーションデバイスのユーザが、電子文書のフォアグランド処理部において選択することを可能にすることに関する。バックグランド処理では、選択される部分を含む新しい文書が準備される。ユーザは、新しい文書を転送するためのアドレスを選択し、そして、新しい文書は、バックグランド処理に送られる。
【００２９】
ウィレム・ブルザイス（Ｗｉｌｌｅｍ  Ｂｕｌｔｈｕｉｓ）外のために「HAND-EAR  USER  INTERFACE  FOR  HAND-HELD  DEVICE」なる名称で、１９９９年１２月１６日に出願した米国特許出願番号０９／４６４，８５５。この文書は、移動電話機といったハンドヘルド式情報処理装置に係る。この装置は、ユーザが円形アレイのオプションをスキャンすることを可能にするサムホイールを有する。各オプションは、ホイールが上下に回されてノッチにくると再生されるオーディオ出力により提示される。このことは、ユーザがオプションを、片手で且つ装置を見ることなく選択することを可能にする。この装置はさらに、パーソナルディレクトリから電話をかける際に数字を入力するためのキーボードが必要でないので、従来の移動電話機よりも形状係数を小さくすることが可能である。
【図面の簡単な説明】
【００３０】
【図１】本発明におけるＥＭＧインタフェースを示す例示的な図である。
【図２】小さい子供向けのハンドヘルド式ワイヤレスメッセージング機器２８０用のＥＭＧインタフェース１００を示す例示的な図である。
【図３】本発明におけるＥＭＧを可能にするシステムを示す例示的な図である。
【図４】本発明におけるシステムを示すブロック図である。
【図１】
2004532474.tif 000003
【図３】
2004532474.tif 000004
【図４】
2004532474.tif 000005
【国際公開パンフレット】
2004532474.tif 000006
2004532474.tif 000007
2004532474.tif 000008
2004532474.tif 000009
2004532474.tif 000010
2004532474.tif 000011
2004532474.tif 000012
2004532474.tif 000013
2004532474.tif 000014
2004532474.tif 000015
2004532474.tif 000016
2004532474.tif 000017
2004532474.tif 000018
2004532474.tif 000019
2004532474.tif 000020
2004532474.tif 000021
【国際調査報告】
2004532474.tif 000022
2004532474.tif 000023
2004532474.tif 000024